(57)【要約】【課題】  直線的に円滑に開封が可能なカットテープ等による被開封基材の開封構造を得ること。【解決手段】  平面状の被開封基材（１）の一面（１ｂ）側に、１本のカットテープ（２）を貼着して該基材（１）を上半部（１Ａ）と下半部（１Ｂ）に区画し、該基材（１）の他面（１ａ）側において上記一面側カットテープ（２）の両側縁（２ａ，２ｂ）に沿う位置に、一対のガイドテープ（３ａ，３ｂ）を上記カットテープ（１）に平行に貼着したことを特徴とするカットテープによる被開封基材の開封構造により構成する。【選択図】  図１
2005041524.tif 000002
【特許請求の範囲】
【請求項１】
平面状の被開封基材の一面側に、カットテープを貼着して該基材を上半部と下半部に区画し、
該基材の他面側において上記一面側カットテープの両側縁に沿う位置に、一対のガイドテープを上記カットテープに平行に貼着したものであることを特徴とするカットテープによる被開封基材の開封構造。
【請求項２】
上記カットテープ端部における上記被開封基材の端縁部に、上記両ガイドテープにおける上記カットテープ側の各側縁に沿って、一対の開封用切り込みを設けたものであることを特徴とする請求項１記載のカットテープによる被開封基材の開封構造。
【請求項３】
上記被開封基材が紙により構成されていることを特徴とする請求項１又は２に記載の被開封基材の開封構造。
【請求項４】
上記カットテープ及びガイドテープが紙により構成されていることを特徴とする請求項１〜３の何れかに記載の被開封基材の開封構造。
【請求項５】
平面状の被開封基材の一面側に、カット紐を貼着して該基材を上半部と下半部に区画し、
該基材の他面側において上記一面側カット紐の両側縁に沿う位置に、一対のガイドテープを上記カット紐に平行に貼着したものであることを特徴とするカット紐による被開封基材の開封構造。
【請求項６】
上記被開封基材が紙により構成されていることを特徴とする請求項５に記載の被開封基材の開封構造。
【請求項７】
上記カット紐及びガイドテープが紙により構成されていることを特徴とする請求項５又は６記載の被開封基材の開封構造。
【請求項８】
上記被開封基材を上記ガイドテープに沿う長方形単片状に形成すると共に該基材の長手方向幅を紙袋の横幅と略同一に形成し、
上記紙袋の閉鎖用フラップに、該フラップ縁と上記ガイドテープが平行となるように上記被開封基材の他面側上半部を貼着し、
上記閉鎖用フラップを折り返して上記被開封基材の一面側下半部を上記紙袋本体の表面に貼着したものであることを特徴とする請求項１〜７の何れかに記載の被開封基材の開封構造を有する紙袋。
【発明の詳細な説明】
【技術分野】
【０００１】
本発明は、封緘された紙袋等をカットテープ等により開封するための被開封基材の開封構造及びそのような開封構造を有するガゼット袋等の紙袋に関する。
【背景技術】
【０００２】
従来、内容物を充填した後に封緘された開口を開封する際に、鋏やナイフ等の器具を使用することなく容易に開封することを可能にするための様々な工夫がなされている。また、これらを改良したものとしていくつかの開封機構が提案されている。
【０００３】
例えば、開封用あて紙の裏面側（開封引き裂き方向とは反対側の面）に、開封方向に沿って１本のカットテープを貼着した構造もの（特許文献１）、或いは開封用あて紙の裏面側に、一対のカットテープを平行に設け、これらのカットテープの両側縁に沿って開封していく構造のもの（特許文献２）等が提案されている。
【特許文献１】特開２００１―２３３３５４号公報（図１、カットテープ２２）
【特許文献２】特開平８―１４３０４７号公報（図１、カットテープ４）
【発明の開示】
【発明が解決しようとする課題】
【０００４】
ところで、上記従来のカットテープの開封構造では、図８（ａ）（ｂ）に示すように、あて紙の端部の摘み手１０を以って手前方向（矢印Ｐ方向）に引っ張ることにより裏面側カットテープ１１に沿って開封するものであるが、何れもカットテープ１１の外側縁１１ａ、１１ａ’に沿ってあて紙を切り裂く構成であるため、図７（ｂ）に示すように、開封の仕方によっては、切り裂き縁１２，１２’がカットテープ１１から離間する方向に広がってしまい、カットテープ１１に沿って直線的に円滑に開封できないという問題があった。
【０００５】
また、切り裂き縁１２，１２’が不定形となることにより不要な紙片が切り屑として生ずることがあり、かかる切り屑が袋の内容物に混入するおそれもあった。
【０００６】
本発明はかかる点に鑑みてなされたものであって、開封する際の切り裂き方向をガイドテープに沿った方向に誘導することで直線的に円滑に開封することができる被開封基材の開封構造及びその開封構造を有する紙袋を提供することを目的とする。
【課題を解決するための手段】
【０００７】
本発明は上記課題を解決するため、
第１に、平面状の被開封基材の一面側に、カットテープを貼着して該基材を上半部と下半部に区画し、該基材の他面側において上記一面側カットテープの両側縁に沿う位置に、一対のガイドテープを上記カットテープに平行に貼着したものであることを特徴とするカットテープによる被開封基材の開封構造により構成されるものである。
【０００８】
従って、カットテープ（２）端部を被開封基材（１）の他面（１ａ）側に引き上げながら開封することにより、カットテープ（２）両側縁（２ａ，２ｂ）とガイドテープ（３ａ，３ｂ）のカットテープ側の側縁（３ａ’，３ｂ’）との間にせん断力を作用させながら切り裂くことができ、これにより被開封基材（１）は一対のガイドテープ（３ａ，３ｂ）の間で破断され、その切り裂き縁（６，６’）を他面（１ａ）側のガイドテープ（３ａ，３ｂ）により誘導しながら直線的に開封することができる。
【０００９】
第２に、上記カットテープ端部における上記被開封基材の端縁部に、上記両ガイドテープにおける上記カットテープ側の各側縁に沿って、一対の開封用切り込みを設けたものであることを特徴とする上記第１発明記載のカットテープによる被開封基材の開封構造により構成されるものである。
【００１０】
従って、カットテープ（２）を引き上げて開封する際、開封用切り込み（４ａ、４ａ’）により摘み手（４）が形成されるため、該摘み手（４）部分が視覚的に確認し易く、被開封基材（１）をその端縁部より容易に開封することができ。
【００１１】
第３に、上記被開封基材が紙により構成されていることを特徴とする上記第１又は２発明記載の被開封基材の開封構造により構成されるものである。
【００１２】
第４に、上記カットテープ及びガイドテープが紙により構成されていることを特徴とする上記第１〜３の何れかの発明記載の被開封基材の開封構造により構成されるものである。
【００１３】
上記被開封基材（１）及び／又はカットテープ（２）、ガイドテープ（３ａ，３ｂ）は例えばクラフト紙等により構成することが好ましい。このように、各部材をクラフト紙等の紙により構成することでリサイクル性、或いは焼却等の処分性を向上させることができる。
【００１４】
第５に、平面状の被開封基材の一面側に、カット紐を貼着して該基材を上半部と下半部に区画し、該基材の他面側において上記一面側カット紐の両側縁に沿う位置に、一対のガイドテープを上記カット紐に平行に貼着したものであることを特徴とするカット紐による被開封基材の開封構造により構成されるものである。
【００１５】
このようにカット紐（７）を使用することによっても、ガイドテープ（３ａ，３ｂ）に沿って被開封基材（１）を直線的に開封することが可能となる。
【００１６】
第６に、上記被開封基材が紙により構成されていることを特徴とする上記第５発明記載の被開封基材の開封構造により構成されるものである。
【００１７】
第７に、上記カット紐及びガイドテープが紙により構成されていることを特徴とする上記第５又は６発明記載の被開封基材の開封構造により構成されるものである。
【００１８】
上記被開封基材（１）及び／又はガイドテープ（３ａ，３ｂ）は例えばクラフト紙等により構成することが好ましい。また、ガイド紐（７）は、例えばこより等のように紙を使用した撚紐により構成することが好ましい。このように、各部材を紙により構成することでリサイクル性、或いは焼却等の処分性を向上させることができる。
【００１９】
第８に、上記被開封基材を上記ガイドテープに沿う長方形単片状に形成すると共に該基材の長手方向幅を紙袋の横幅と略同一に形成し、上記紙袋の閉鎖用フラップに、該フラップ縁と上記ガイドテープが平行となるように上記被開封基材の他面側上半部を貼着し、上記閉鎖用フラップを折り返して上記被開封基材の一面側下半部を上記紙袋本体の表面に貼着したものであることを特徴とする上記第１〜７の何れかの発明に記載の被開封基材の開封構造を有する紙袋により構成されるものである。
【００２０】
従って、上記被開封基材（１）を上記カットテープ（２）又はカット紐（７）に沿って引き裂いて該基材（１）を上半部（１Ａ）と下半部（１Ｂ）とに２分割することにより、上記紙袋（５）を開封することができる。この場合、カットテープ（２）又はカット紐（７）両側縁とガイドテープ（３ａ，３ｂ）のカットテープ又はカット紐側の側縁との間にせん断力を作用させながら切り裂くことができ、これにより被開封基材（１）は一対のガイドテープ（３ａ，３ｂ）の間で破断され、その切り裂き縁（６，６’）を他面（１ａ）側のガイドテープ（３ａ，３ｂ）により誘導しながら直線的かつ円滑に開封することができる。
【００２１】
尚、本欄において本発明の構成に対応して実施形態中の符号をカッコ書で記載したが、これは対応関係を明確にするために便宜上付したものであり、本発明の構成がこれらの構成部材に限定されるものではない。
【発明の効果】
【００２２】
本発明によると、被開封基材のカットテープ又はカット紐の両側縁にせん断力を作用させることができ、該切り裂き縁がガイドテープにより誘導されるため、直線的かつ円滑に開封することができる被開封基材の開封構造を実現することができる。
【００２３】
また、被開封基材等を紙により構成することにより、リサイクル性、処分性に優れた被開封基材の開封構造を実現することができる。
【００２４】
また、このような開封構造を紙袋に適用することにより、開封作業性が良好で、開封時の異物の混入等をも防止し得る紙袋を得ることができる。
【００２５】
また、このような開封構造を紙袋に適用することにより、リサイクル性、処分性に優れた紙袋を実現することができる。
【発明を実施するための最良の形態】
【００２６】
以下、本発明の実施の形態を添付図面に基づいて説明する。
【００２７】
図１は本発明に係るカットテープによる被開封基材の開封構造の被開封基材１を示す平面図である。
【００２８】
この被開封基材１は全体が紙製で略長方形単片状に形成されており、例えばクラフト紙等で形成することが好ましいが、その他、和紙、印刷用紙、包装用紙、或いは段ボール原紙等の板紙等により構成することができる。当該基材１はまた熱可塑性樹脂から形成されたフィルム、不織布等の紙以外の材質により構成することもできる。尚、該基材１の形状、大きさ及び材質は、使用する袋の材質等に応じて適宜選択し得るものである。
【００２９】
２は上記被開封基材１の裏面（一面）１ｂ側に貼着された１本のカットテープであり、このカットテープ２は、基材１の全幅に亙って、その垂直二等分線上を長手方向両縁に平行に貼着されている。ここで、このカットテープ２を中心として、図１中上側を被開封基材１の上半部１Ａ、同図中下側を下半部１Ｂという。従って、当該被開封基材１はその全体がカットテープ２により上半部１Ａと下半部１Ｂの２つの部分に区画されている。
【００３０】
３ａ，３ｂは、上記被開封基材１の表面（他面）１ａ側（カットテープ２の貼着面とは反対側の面）に貼着された一対のガイドテープであり、上記裏面側カットテープ２の両側縁２ａ，２ｂに沿って、当該基材１の全幅に亙って上記カットテープ２と平行に貼着されている。このガイドテープ３ａ，３ｂは、図２に示すように、カットテープ２の両側縁２ａ，２ｂの位置に各ガイドテープ３ａ，３ｂの内側縁３ａ’，３ｂ’の位置を一致させるように貼着することが好ましい。このように構成すると、開封時に上記内側縁３ａ’，３ｂ’と上記両側縁２ａ，２ｂの境界にせん断力を有効に作用させることができる。尚、図３に示すように、カットテープ２の両側縁２ａ，２ｂの位置と各ガイドテープ３ａ，３ｂの内側縁３ａ’，３ｂ’の境界に若干のクリアランスｔを設けるように貼着しても良いし、逆に上記両側縁３ａ’，３ｂ’の位置がカットテープ２の両側２ａ，２ｂ位置より若干内側に入り込むように貼着しても良い。これらの場合においても開封時に同様に上記境界にせん断力を作用させることができる。
【００３１】
上記被開封基材１の両方の端縁部における上記カットテープ２の両端には、上記一対のガイドテープ３ａ、３ｂと上記カットテープ２の境界部分に、上記ガイドテープ３ａ，３ｂの内側縁３ａ’，３ｂ’に沿う所定長さの一対の開封用切り込み４ａ，４ａ’が設けられている。この一対の切り込み４ａ，４ａ’により、上記基材１の両端縁部に開封用の摘み手４が形成されている。
【００３２】
尚、上記カットテープ２及びガイドテープ３ａ、３ｂの材質は例えば樹脂性のテープを使用することができるが、被開封基材１と同様のクラフト紙等の紙であってもカット性に支障はなく、またクラフト紙等の紙であれば切り裂き後のカットテープ２及びガイドテープ３ａ，３ｂの焼却等による処分性、リサイクル性に優れる。尚、上記両テープの材質はクラフト紙に限らず、その他、和紙、印刷用紙、包装用紙、或いは段ボール原紙等の板紙等により構成しても良い。
【００３３】
また、封緘の際に表面１ａ側となるガイドテープ３ａ、３ｂに被開封基材１の色とは別の色の着色を施すことで、開封の際の摘み手４の位置の確認を迅速に行うことができ、開封作業の効率を向上することができる。
【００３４】
図４は本発明に係る上記被開封基材１をガゼット紙袋本体５に使用する場合の実施形態を示したものである。
【００３５】
このガゼット紙袋本体５は、左右両側にガゼット５ａ、５ａを備えた中空の筒状体であって上下両端部に開口５ｂを有し、その開口５ｂの本体５背面側に開口５ｂの閉鎖用フラップ５ｃが形成されている。
【００３６】
上記被開封基材１は、図４（ａ）に示すように、その長手方向幅を上記紙袋本体５の横幅と略同一に形成する。そして、被開封基材１の上半部１Ａの表面１ａ側を、そのカットテープ２（ガイドテープ３ａ、３ｂ）と上記閉鎖用フラップ５ｃのフラップ縁５ｃ”が平行となるように、上記フラップ５ｃの表面５ｃ’側に貼着する。その後、同図（ｃ）に示すように、閉鎖用フラップ５ｃを表面５’側に折り返し、上記被開封基材１の裏面１ｂ側の下半部１Ｂを上記ガゼット紙袋本体５の表面５’に貼着することにより封緘することができる。
【００３７】
或いは、同図（ｂ）に示すように、上記被開封基材１の裏面１ｂを上記ガゼット紙袋本体５の開口５ｂ近傍の前面５’に、そのカットテープ２（ガイドテープ３ａ、３ｂ）が上記フラップ縁５ｃ”に平行となるように予め貼着する（図４（ｂ）二点鎖線位置）。このとき、該基材１の下半部１Ｂの裏面１ｂ側のみを上記表面５’に貼着し、上半部１Ａの裏面１ｂ側は貼着しないか、上半部１Ａの裏面１ｂ側については易剥離性の糊で上記表面５’に貼着する。
【００３８】
その後、同図（ｃ）に示すように、上記閉鎖用フラップ５ｃを表面５’側に折り返し、上記フラップ５ｃの表面５ｃ’のフラップ縁５ｃ”を上記被開封基材１の表面１ａ側の上半部１Ａに貼着することにより封緘することができる。
【００３９】
本発明は上述のように構成されるものであり、図４（ｃ）に示すガゼット袋本体５を開封するには、被開封基材１の上記カットテープ２の何れか一端の摘み手４を摘んで、図５（ｂ）に示すように上記ガイドテープ３ａ，３ｂに沿って矢印Ｐ方向に引き裂いて、当該被開封基材１を上半部１Ａと下半部１Ｂに分離すれば良い。
【００４０】
このとき、カットテープ２端部の摘み手４を持って、該テープ２を被開封基材１の表面１ａ側に引き上げながら開封することにより、カットテープ２両側縁２ａ，２ｂとガイドテープ３ａ，３ｂのカットテープ側の側縁３ａ’，３ｂ’との間にせん断力を作用させながら切り裂くことができ、これにより被開封基材１は一対のガイドテープ３ａ，３ｂの間で破断され、その切り裂き縁６，６’を表面１ａ側のガイドテープ３ａ，３ｂにより誘導しながら直線的に開封することができる。従って、切り裂き縁６，６’がカットテープ２両側から外方向に広がることはなく、ガイドテープ３ａ，３ｂに沿って直線的に円滑に開封することができる。従って、不要な切り屑等も発生することはない。
【００４１】
開封後は、図６に示すように、該被開封基材１の上半部１Ａ共々閉鎖用フラップ５ｃを開いて開口５ｂを形成することができる。また、被開封基材１の上半部１Ａを易剥離性糊で貼着した場合は、当該上半部１Ａと上記袋本体５表面５’とを引き剥がしてから開封することができる。
【００４２】
尚、上記実施形態では、被開封基材１を長方形単片状に形成し、当該基材１をガゼット袋本体５の閉鎖用フラップ５ｃに貼着する場合を示したが、上記被開封基材１を上記ガゼット袋本体５の表面５’の基材と一体的に形成すること、即ち、上記基材１のカットテープ２とガイドテープ３ａ，３ｂを上記ガゼット袋本体５の表面５’に直接設けることもでき、この場合も上記実施形態と同様の作用効果を得ることができる。
【００４３】
図７に示すのは、本発明に係る開封構造の他の実施形態であり、図１に示す開封構造において、カットテープ２に代えてカット紐７を用いたものである。尚、図７において、図１と同一部分には同一符号を付して便宜上それらの説明は省略する。同図において、被開封基材１の裏面１ｂのカットテープ２の貼着部分にはカット紐７が基材１の全幅に亙って貼着されている。また、上記ガイドテープ３ａ，３ｂは上記基材１の表面１ａ側において上記カット紐７の両側縁に沿って貼着されている。即ち、上記ガイドテープ３ａ，３ｂは上記表面１ａ側において上記カット紐７の幅分だけ若干離間した状態となっている（図７（ｂ）参照）。また、上記カット紐７は、上記被開封基材１の端縁部から外部に突出させることにより摘み手７’を形成することができる。
【００４４】
上記カット紐７の材質は、樹脂製であっても良いが、こより等のように紙を使用した撚紐構造により構成することが、リサイクル性、処分性の面から好ましい。
【００４５】
このようにカット紐７による被開封基材の開封構造によっても、上記図１と同様にカット紐７を表面１ａ側に引くことにより、カット紐７の両側縁にせん断力を作用させながらガイドテープ３ａ，３ｂに沿って直線的に円滑に開封することができる。また、当該カット紐による被開封基材１も、図４に示すように、ガゼット袋５に上記図１の基材１と同様に適用が可能であり、上記カットテープ２を用いた場合と同様の作用効果を得ることができる。
【００４６】
以上のように本発明によれば、ガイドテープ３ａ，３ｂの直線的な一対のエッジ（側縁３ａ’及び３ｂ’）により、被開封基材１にせん断力を作用させながら開封することができ、また切り裂き縁６，６’が何れも一対のガイドテープ３ａ，３ｂにより直線的に誘導されるため、被開封基材１を直線的に円滑に開封することができる。
【００４７】
また、開封時に切り屑等が発生することもなく、切り屑等が袋の内容物に混入することを防止することができる。
【００４８】
また、被開封基材１の端縁部の摘み手４又は７’により開封位置を容易に確認することが可能となる。
【００４９】
また、被開封基材１の表面１ａ側に一対のガイドテープ３ａ，３ｂが位置するため、開封位置を容易に確認することができ、開封作業性を向上することができる。この場合、ガイドテープ３ａ，３ｂに被開封基材の色とは別の色の着色を施すことにより、開封位置の視認性をより向上することができる。
【００５０】
また、被開封基材１をクラフト紙等の紙製とすることにより、或いはカットテープ２、カット紐７及びガイドテープ３ａ，３ｂをクラフト紙等の紙製とすることにより、リサイクル性、処分性に優れた開封構造を得ることができる。
【００５１】
また、被開封基材１及び上記カットテープ２又はカット紐７、ガイドテープ３ａ，３ｂをクラフト紙等の紙製とすることにより、同様にリサイクル性、焼却等の処分性に優れた開封構造を得ることができる。
【００５２】
また、上述のようなカットテープ２或いはカット紐７の開封構造をガゼット袋等の紙袋５の開封構造とすることにより、開封作業性良好で、開封時の異物（切り屑等）の混入を防止した、リサイクル性、処分性に優れた紙袋を実現することができる。
【００５３】
尚、本発明の開封構造を適用する袋は、上記ガゼット袋に限らず、各種大きさ、形状のひだ付き袋（例えばひだ付き片底ばり袋、ひだ付き両折りばり袋等）、ひだなし袋（例えば、ひだなし片底ばり袋、ひだなし両折りばり袋等）、封筒等に適用が可能であり、さらにダンボール箱その他包装箱の開封構造としても適用することができるものである。
【図面の簡単な説明】
【００５４】
【図１】本発明に係るカットテープの開封構造を有する被開封基材の平面図である。
【図２】（ａ）は同上開封構造の拡大平面図、（ｂ）は（ａ）図のＸ−Ｘ線断面図である。
【図３】（ａ）は同上開封構造の拡大平面図、（ｂ）は（ａ）図のＹ−Ｙ線断面図である。
【図４】（ａ）、（ｂ）は上記被開封基材をガゼット袋本体に取り付ける状態を示す同袋本体の斜視図、（ｃ）は同上基材によりガゼット袋を封緘した状態を示す同袋本体の斜視図である。
【図５】（ａ）は同上開封構造の開封前の状態を示す被開封基材の平面図、（ｂ）は同上開封構造の開封状態を示す被開封基材の平面図である。
【図６】開封後のガゼット紙袋本体の斜視図である。
【図７】（ａ）はカット紐を用いた同上開封構造の平面図、（ｂ）は（ａ）図のＺ−Ｚ線断面図である。
【図８】（ａ）は従来の開封構造を示す図、（ｂ）は従来の開封構造において開封状態を示す図である。
【符号の説明】
【００５５】
１    被開封基材
１Ａ  上半部
１Ｂ  下半部
１ａ  表面
１ｂ  裏面
２    カットテープ
２ａ，２ｂ  側縁
３ａ，３ｂ  ガイドテープ
４ａ，４ａ’  開封用切り込み
５  ガゼット紙袋本体
５’  表面
５ｃ  閉鎖用フラップ
５ｃ”  フラップ縁
７  カット紐
【図１】
2005041524.tif 000003
【図２】
2005041524.tif 000004
【図３】
2005041524.tif 000005
【図４】
2005041524.tif 000006
【図５】
2005041524.tif 000007
【図６】
2005041524.tif 000008
【図７】
2005041524.tif 000009
【図８】
2005041524.tif 000010